(57)【要約】【課題】  ハウス内の送風機の取付けは、梁に設けた取付金具とＵボルトを介して行う。送風機は、薬液散布、ビニールフィルムの張替え、夏場のビニールフィルムの取外し等の作業時には、取外して行うことが習慣である。取外し、取付けが、一人でできる構造ではなく、改良すべきである。また、風の吐出方向の上下機能（俯角調整機能）を備えているが、回転位置を変更できる機能を備えていないので、十分ではない。【解決手段】  本発明は、ハウスの取付材に取付けた設置金具と、設置金具に設けた対の吊金具と、対の吊金具で支持される送風機の取付装置であり、設置金具には、送風機の回転（旋回）位置を固定、又は固定解除する回転位置調整手段を設けるとともに、設置金具と吊金具には、送風機の俯角を調整する俯角調整手段を設ける構成とした送風機の取付装置である。ファンの俯角調整と、回転位置調製が、簡単にできる。また、一人で、送風機を、梁に支持できる。【選択図】      図１
2015045474.tif 000002
【特許請求の範囲】
【請求項１】
ハウスの取付材に取付けた設置金具と、この設置金具に設けた対の吊金具と、この対の吊金具で支持される送風機の取付装置であり、
前記設置金具には、前記送風機の回転（旋回）位置を固定、又は固定解除する回転位置調整手段を設けるとともに、前記設置金具と前記吊金具には、前記送風機の俯角を調整する俯角調整手段を設ける構成とした送風機の取付装置。
【請求項２】
前記設置金具は、対峙した円弧溝を、円周軌跡に対で設けた平板部と、この平板部の両端部に、それぞれ曲折した対の支持片とでなる構成とした請求項１に記載の送風機の取付装置。
【請求項３】
前記回転位置調整手段は、前記設置金具の平板部に開設する左右対で設けた円弧溝と、この左右対の円弧溝に差込まれるＵボルト、バンド、取付具と、このＵボルト、バンド、取付具に螺着する複数のナットとでなる構成とした請求項１に記載の送風機の取付装置。
【請求項４】
前記回転位置調整手段は、前記設置金具の平板部に開設する対峙した円弧溝と、この対峙した円弧溝に差込まれるＵボルト、バンド、取付具と、このＵボルト、バンド、取付具に螺着する複数のナットとでなる構成とした請求項１に記載の送風機の取付装置。
【請求項５】
前記Ｕボルト、バンド、取付具は、前記ハウスの梁である取付材に支持するか、又はハウス内の柱、架台でなる装置の横杆に支持する構成とした請求項２に記載の送風機の取付装置。
【請求項６】
前記俯角調整手段は、前記設置金具の対の支持片と、この対の支持片に添設した前記対の吊金具と、この対の支持片とこの対の吊金具とに螺着したボルトとでなる構成とした請求項１に記載の送風機の取付装置。
【請求項７】
前記吊金具は、前記送風機のガードの外側に設けたＵ環に支持する構成とした請求項１に記載の送風機の取付装置。
【請求項８】
前記吊金具の端に、前記ハウスに設けた前記送風機の転倒防止用のストッパを設ける構成とした請求項１に記載の送風機の取付装置。
【請求項９】
前記設置金具の支持片の端に、前記ハウスに設けた前記送風機の転倒防止用の鍔片を設ける構成とした請求項１に記載の送風機の取付装置。
【発明の詳細な説明】
【技術分野】
【０００１】
本発明は、ハウス内（工場内も含む）に設置する送風機（循環扇、又は換気扇）の取付装置に関する。
【背景技術】
【０００２】
ハウス内の送風機と、この送風機の働きによる循環風は、作物の生育促進、品質向上、又は薬液散布後の効率化等を図るため必須な設備であり、多くのハウスで採用されている。この送風機の取付けは、通常、梁に、取付金具（取付用ブラケット、又は枠体、吊下金具）を設け、この取付金具と止め具（Ｕボルト、ボルト）とを介して行う。従って、風の吐出方向（吹出方向）の上下機能（俯角調整機能）を備えている。しかし、この俯角調整機能を備えた取付装置（従来の取付装置）では、ファンの風を、ハウスの隅々まで送り、また、棟方向の遠くまで送れるには、十分とは云えないと考える。また、ハウス内の薬液散布、ハウスのビニールフィルムの張替え、或いは夏場のビニールフィルムの取外し等の作業時においては、送風機を、一度、取外して、行うことが習慣である。そのためには、この取外し、その後の取付けにおいて、一人で作業ができる構造とは考えられない。
【０００３】
前記従来の取付装置の改良と、取付け・取外しを容易に行える取付装置と、送風機の俯角調整と回転位置を固定、又は固定解除により、回転位置を自由に調整（回転位置調整）できる取付装置とが希求されていたので、先行文献より検討する。例えば、特開２００６−４６８１８号公報に記載された、換気扇の固定金具は、ハウスのパイプ（梁）に、基台ベースを取付け、基台ベースに設けた取付金具支柱（固定支柱）に、支持支柱（回転可能な支柱）を対峙して設け、固定支柱と支持支柱とを支柱固定金具で固定、かつ固定解放可能に支持する構造とすることで、ファンを、３６０°無段階で回転可能とする。しかしながら、この発明は、俯角調整機構を備えていないことから問題があると考える。また、作物に最適な風を与え、かつハウスの隅々まで送り、また、棟方向の遠くまで送れるには、十分とは云えないと考える。また、この発明では、送風機を一人で持上げ、固定金具に、差込み、又は引掛け等で一時的に、支持する構造でなく、不可能であり、取付け作業に困ることが考えられる。
【０００４】
この送風機を、梁、柱、又はその他の取付部に、例えば、上載せ／吊下げ設置、縦柱設置、その他の設置を自由、かつ簡易に行える取付装置（同じ設置金具で取付できる構造）が、近時、希求されている。しかしながら、従来技術、並びにこの発明を含めて、現状では、送風機の設置を自由、かつ簡易に行える取付装置に関しては、適切な取付設置が見当たらない。
【０００５】
【特許文献１】特開２００６−４６８１８号公報
【発明の概要】
【発明が解決しようとする課題】
【０００６】
上記に鑑み、本発明は、送風機に予め設置した設置金具を利用することで、取付材（梁パイプ、梁角材等）に、一人で、設置可能な取付装置を提供する。また、設置金具を、取付材に添接し、Ｕボルトとナットとを介して取付け可能であり、一人で、かつ容易に設置可能な取付装置を提供する。また、俯角調整手段は、止め具（ツマミボルト）の螺戻（緊締解除）、螺着（緊締）により、吊金具（ブラケット）の角度を変更できるので、ワンタッチで、かつ簡易、確実にできる。さらに、回転位置調整手段は、Ｕボルトのナットを、螺戻（緊締解除）、螺着（緊締）により、送風機の角度を変更できるので、ワンタッチで、かつ簡易、確実にできる。
【０００７】
この俯角調整手段と回転位置調整手段とを利用することで、ファンの風を、ハウスの隅々まで送り、及び／又は、棟方向の遠くまで送り得ること、並びにハウスの温度差の解消が図れることと、これによって、例えば、作物の生育促進、均質化、又は品質向上等を意図する。さらに、送風機を取外す際には、設置金具を、梁、縦柱等の取付材に残し、その目的を達成できる構造を提案する。また、前記俯角調整手段、及び／又は、回転位置調整手段を利用して、送風機（ファン）の風方向を、例えば、梁を基点として、上下方向、及び／又は、左右方向に調整ができる構造を提案する。
【０００８】
さらに、送風機のガードの隣接する、それぞれの二個のＵ環の孔と吊金具の孔との整合と、止め具とを利用し（選択したＵ環と吊金具との固定で）、送風機の上載せ（例えば、梁に載せる）／吊下げ（例えば、梁に吊下げる）設置、縦柱設置（柱取付け）、その他の設置を自由、かつ簡易に行える取付装置を提供する。
【課題を解決するための手段】
【０００９】
本発明の目的を達成するために、請求項１〜請求項７を提供する。
【発明の効果】
【００１０】
請求項１の発明は、ハウスの取付材に取付けた設置金具と、設置金具に設けた対の吊金具と、対の吊金具で支持される送風機の取付装置であり、
設置金具には、送風機の回転（旋回）位置を固定、又は固定解除する回転位置調整手段を設けるとともに、設置金具と吊金具には、送風機の俯角を調整する俯角調整手段を設ける構成とした送風機の取付装置である。
【００１１】
従って、請求項１では、
：イ  取付材に取付けた設置金具の支持片と、送風機に設けた吊金具とを固定する送風機の取付装置であり、送風機を、一人で支持し、その後に、取付け（設置）と、取外し（設置解除）ができる。
：ロ  支持片と、吊金具には、俯角調整手段を設けるとともに、設置金具には、送風機の回転位置を固定、又は固定解除する回転位置調整手段を設ける構成とし、ファンの風を、ハウスの隅々まで送り、及び／又は、棟方向の遠くまで送り得ること、並びにハウスの温度差の解消が図れること等の効果と、この効果による、作物の生育促進、均質化、又は品質向上等が図れる。
：ハ  送風機を取外す際に、設置金具を、取付材に残し、送風機のみを、取外しできる。
：ニ  俯角調整手段、及び／又は、回転位置調整手段を利用して、送風機（ファン）の風方向を、例えば、梁を基点として、上下方向、及び／又は、左右方向に調整ができる。
：ホ  ハウスの特有の状況、例えば、ハウスの躯体／梁、又はビニールフィルム等が、地形に基づいて、真直ぐでない場合とか、経時的な要因で真直ぐでなくなった場合等においても、前記：イ〜：ニの特徴が達成できる。
：ヘ  送風機のガードにあるそれぞれ二個のＵ環を、対で選択することで、例えば、送風機の上載せ／吊下げ設置、縦柱設置、その他の設置を自由、かつ簡易に行える取付装置を提供できる。
【００１２】
請求項２の発明は、設置金具は、円弧溝を、円周軌跡に対で設けた平板部と、この平板部の両端部に、それぞれ曲折した対の支持片とでなる構成とした請求項１に記載の送風機の取付装置である。
【００１３】
従って、請求項２では、：イ〜：ヘを達成するに最適となる設置金具の構造を提案できる。
【００１４】
請求項３の発明は、回転位置調整手段は、設置金具の平板部に開設する左右対で設けた円弧溝と、左右対の円弧溝に差込まれるＵボルト、バンド、取付具と、Ｕボルト、バンド、取付具に螺着する複数のナットとでなる構成とした請求項１に記載の送風機の取付装置である。
【００１５】
従って、請求項３では、：イ〜：ヘを達成するに最適となる取付装置の回転位置調整手段の構造を提案できる。
【００１６】
請求項４の発明は、回転位置調整手段は、設置金具の平板部に開設する対峙した円弧溝と、対峙した円弧溝に差込まれるＵボルト、バンド、取付具と、Ｕボルト、バンド、取付具に螺着する複数のナットとでなる構成とした請求項１に記載の送風機の取付装置である。
【００１７】
従って、請求項４では、：イ〜：ハを達成するに最適となる回転位置調整手段の構造を提案できる。
【００１８】
請求項５の発明は、Ｕボルト、バンド、取付具は、ハウスの梁である取付材に支持するか、又はハウス内の柱、架台でなる装置の横杆に支持する構成とした請求項２に記載の送風機の取付装置である。
【００１９】
従って、請求項５では、：イ〜：ヘを達成するに最適となるＵボルト、バンド、取付具の構造を提案できる。
【００２０】
請求項６の発明は、俯角調整手段は、設置金具の対の支持片と、対の支持片に添設した前記対の吊金具と、対の支持片と対の吊金具とに螺着したボルトとでなる構成とした請求項１に記載の送風機の取付装置である。
【００２１】
従って、請求項６では、：イ〜：ヘを達成するに最適となる俯角調整手段の構造を提案できる。
【００２２】
請求項７の発明は、吊金具は、前記送風機のガードの外側に設けたＵ環に支持する構成とした請求項１に記載の送風機の取付装置である。
【００２３】
従って、請求項７では、：イ〜：ヘを達成するに最適となる吊金具の取付け構造を提案できる。
【００２４】
請求項８の発明は、吊金具の端に、ハウスに設けた送風機の転倒防止用のストッパを設ける構成とした請求項１に記載の送風機の取付装置である。
【００２５】
請求項９の発明は、設置金具の折曲片部の端に、ハウスに設けた送風機の転倒防止用の鍔片を設ける構成とした請求項１に記載の送風機の取付装置である。
【００２６】
従って、請求項８、９では、：イ〜：ヘを達成できることと、下記の（ト）の特徴がある。
：ト  ハウス、又は工場等の建屋に設けた送風機が、衝撃、故障等で傾き、最悪、転倒という状況を回避できること、また、安全性が向上すること、等の特徴がある。
【図面の簡単な説明】
【００２７】
【図１】第１実施例における送風機に、設置金具、並びに吊金具を設けた全体図であって、吊下げ設置を示した正面図
【図２】図１の側面図であって、梁との関係を説明する
【図３−１】図１の設置金具と吊金具を示した平面図
【図３−２】図１の設置金具と吊金具、並びにその関連する他の部材を示し、それぞれを詳細に示した分解図
【図３−３】図１の設置金具の支持片と吊金具との間に、転倒防止用ストッパを設けた一例を示した要部の分解図
【図３−４】図１の設置金具の支持片と吊金具との間に、転倒防止用ストッパを設けた他の一例を示した要部の分解図
【図４】第１実施例における送風機の上載せ設置を示した正面図
【図５】第１実施例における送風機の縦柱設置を示した正面図
【図６】第２実施例における送風機に、設置金具、並びに吊金具を設けた全体図であって、吊下げ設置を示した正面図
【図７】図６の側面図であって、梁との関係を説明する
【図８−１】図６の設置金具と吊金具を示した平面図
【図８−２】図６の設置金具と吊金具、並びにその関連する他の部材を示し、それぞれを詳細に示した分解図
【図９】第３実施例における送風機に、設置金具、並びに吊金具を設けた全体図であって、吊下げ設置を示した正面図
【図１０】図９の側面図であって、梁との関係を説明する
【図１１−１】図９の設置金具と吊金具を示した平面図
【図１１−２】図９の設置金具と吊金具、並びにその関連する他の部材を示し、それぞれを詳細に示した分解図
【発明を実施するための形態】
【００２８】
以下、本発明の好ましい一実施例を説明する。
【００２９】
１はハウス、又は工場等の建屋に設けた（以下、ハウスで説明するが、一例である）送風機であり、この送風機１は、ドラム１００（風胴）の吹出側１ａに整流翼１０１を設けるとともに、その吸込側１ｂにはファン１０２と、このファン１０２をカバーし、かつ吸込側１ｂより突出したガード１０３と、ガード１０３に設けたモータ１０４とで構成する。ファン１０２を回転し、風を吸込側１ｂより吸込み、整流翼１０１を介して吹出側１ａより吹出す構造であり、例えば、ファン１０２の風（纏まった帯状の風として）を、ハウスの隅々まで送り、また、棟方向の遠くまで送り得ることと、作物の生育促進、品質向上、又は薬液散布後の効率化等が図れる。この送風機１は、各実施例において共通する。
【００３０】
図１〜図３−２に示した第１実施例は、ハウスの取付材、例えば、ハウスの梁Ｈに取付けられる設置金具２であって、この設置金具２には、可動自在に支持する吊金具３を設けるとともに、この吊金具３には、送風機１が可動自在（俯角調整自在）支持される構造である。そこで、設置金具２と吊金具３との関係を説明する。
【００３１】
設置金具２は、図３−２に分解して示した如く、平面視して略台形状の平板部２００と、この平板部２００の長手方向の左右端部に曲折垂下（折曲垂下）した支持片２０１、２０１と、平板部２００の短手方向に左右対で、かつ対称に設け、望ましくは、上下対で、かつ円周軌跡に対で設けた円弧溝５、５…（送風機１の回転方向１５°の角度を確保できる対の円弧溝５とする）とで構成する。この円周軌跡に対で設けたとは、例えば、第１実施例が、図３−２に示す吊下げ設置で、平面視して、円周軌跡（円弧溝の円周軌跡）において、左右方向に対峙して複数設ける。また、第２実施例が、図８−２に示す同じ設置で、平面視して、円周軌跡において、上下方向に対峙して設ける。第３実施例が、図１１−２に示す同じ設置で、平面視して、円周軌跡において、上下方向に対峙して複数設ける。そして、この設置金具２の回転位置（回転位置とは、例えば、梁Ｈの軸方向Ｈ１を面として、回転した位置で、後述するように所定角度範囲内である）調整手段は、前記円弧溝５と、この円弧溝５に、それぞれ差込み支持するＵボルト６、６（後述するバンド、図示しない取付具等を含む）と、このＵボルト６に螺着するナット７、７とで構成する。従って、後述するように、梁Ｈの下側にＵボルト６を跨がせ、その自由端６ａを、円弧溝５に差入れ、端の螺子部６ｂに、ナット７を螺合する。この操作と螺合で、平板部２００（設置金具２）が、梁Ｈに支持、かつ固定されるとともに、平板部２００とＵボルト６とが緊締される。また、平板部２００とＵボルト６との緊締解除と、平板部２００と梁Ｈの固定解除（Ｕボルト６の取外しでない）は、ナット７を螺戻することで、前記緊締解除と、固定解除が同時にできることと、円弧溝５をガイドとして、Ｕボルト６を円弧方向に、移動することで、平板部２００が、梁Ｈの軸方向Ｈ１を面として回転し、図３−１の如く、回転方向１５°の角度を確保できる。即ち、この回転位置調整手段は、設置金具２と、その平板部２００の円弧溝５、並びにＵボルト６とナット７とで構成し、この構成の中で、回転位置を、Ｕボルト６とナット７との緊締解除、及び緊締で達成できる。従って、この回転位置調整で、ファン１０２の風の方向「棟方向の風の流れ」を、自由に変更できる。
【００３２】
尚、この回転位置調整手段は、図４に示す梁Ｈに上載せ設置では、前述した吊下げ設置の逆パターンである。さらに、図５に示した、縦柱設置では、ボルト１１の調整で行う。即ち、ボルト１１を螺戻し、吊金具３を、支持片２０１を基板として回転し、ボルト１１を緊締固定し、回転位置を確保する。また、俯角調整は、円弧溝５と、この円弧溝５をガイドとして移動する、図示しない、鍵形バンドと、この鍵形バンドに緊締するナットとの操作により、縦柱の立設方向を面として、可動（縦柱Ｈ２の立設方向の縦軸Ｈ３を面として、可動）する。
【００３３】
この設置金具２の両端部の支持片２０１、２０１（対の例では、一方で説明する）には、Ｌ形の吊金具３の折曲片部３ａが添接されるとともに、他方の本体部３ｂが、設置金具２の平板部２００側に位置する。そして、この折曲片部３ａの上側には、孔３００と、この孔３００に連なる筒状の取付螺孔３０１（螺筒）が突設されている。また、本体部３ｂの下側には、取付孔１００２が開設されている。従って、吊金具３の孔３００と取付螺孔３０１は、支持片２０１に開設した差込み溝を備えた差込み孔２０１００に整合する。この整合した取付螺孔３０１と、孔２０１００にボルト１１を差込み、取付螺孔３０１にボルト１１の螺子部１１００を螺合することで、支持片２０１に対して、吊金具３が固定されるとともに、送風機１（ファン１０２）の俯角位置が決定される。この俯角（仰角を含む）位置の決定と、その俯角（仰角を含む）は、図２に示すように、ファン１０２の水平軸芯Ｃを基準として、俯角７．５°、仰角７．５°程度とする。後述するが、俯角調整は、送風機１を、吊金具３に取付けた状態で可能である。また、吊金具３の本体部３ｂの下側の各取付孔３０２、３０２（一方で説明する）は、送風機１のガード１０３に設けた複数個の内、例えば、隣接する二個のＵ環１０３００の孔１０３００ａと、それぞれ整合し、この整合した孔に、止め具１２（取付けボルト）を、それぞれ差込し、ナット１２ａに螺合することで、吊金具３と、Ｕ環１０３００とは、それぞれ緊締、かつ固定される。この緊締、固定で、設置金具２と送風機１とが一体となる。また、設置金具２は、平板部２００の円弧溝５に差込んだＵボルト６と、このＵボルト６と螺合したナット７とにより、梁Ｈに取付けられているので、結果として、この図１の如く、設置金具２に取付けられている送風機１は、梁Ｈに支持される。
【００３４】
尚、図３−３と、図３−４は、設置金具２に設けた送風機１の転倒防止用ストッパの機構の一例を示すものであり、その好ましい、各例を説明する。図３−３は、設置金具２の長くした支持片２０１（梁Ｈの寸法／構造による。以下同じ）と、幅広の吊金具３との間に設けた転倒防止用ストッパであり、吊金具３の端３ａ１にストッパピン４ａを設け、吊金具３の傾きを規制し、送風機１の転倒防止を図る。また、図３−４は、設置金具２の長くした支持片２０１と、幅広の吊金具３との間に設けた転倒防止用ストッパであり、支持片２０１の端２０１ａに鍔片４ｂを設け、吊金具３の傾きを規制し、送風機１の転倒防止を図る。この各実施例は、転倒防止用ストッパの一例を、それぞれ示したものであり、この各例に限定されない。
【００３５】
この状態において、図２の如く、俯角調整（俯角調整とは、例えば、縦柱の立設方向Ｈ２を縦軸として、可動した位置調整で、後述するように所定俯角、又は仰角範囲内である）を行う場合は、ボルト１１を螺戻し、支持片２０１と、吊金具３との緊締を解除する。吊金具３は、ボルト１１の螺子部１１００を軸芯（ファン１０２の水平軸芯Ｃを基準）として、可動可能となるので、前記俯角と仰角との角度範囲内において、送風機１（ファン１０２）の角度を変更する。そして、ボルト１１を螺入し、支持片２０１と、吊金具３との緊締を図る。このように、一人で、かつ自由に俯角調整ができる。また、図３−１の如く、回転位置調整を行う場合は、ナット７を螺戻し、平板部２００と、Ｕボルト６との緊締を解除する。平板部２００は、梁Ｈの軸方向Ｈ１を面として回転可能となり、この回転範囲内において、送風機１（ファン１０２）の水平方向の角度を変更する。そして、ナット７を螺入し、平板部２００と、Ｕボルト６との緊締を図る。このように、一人で、かつ自由に回転位置調整ができる。
【００３６】
以上の如く、俯角調整と、回転位置調整とを、それぞれ個別に行う一例と、また、同時に行う一例等が考えられる。この俯角調整と、回転位置調整とを行う必要性の一例を挙げると、次のことである。この種のハウスは、躯体／梁、又はビニールフィルム等が、地形に基づいて、真直ぐでない場合（蛇行、撓んでいること、又は変形していること等）がある。また、経時的な要因で曲ったり、窪んだり等の異常な状況の場合（蛇行、撓んだこと、又は変形したこと等）がある。さらに、その他ビニールフィルムの張りが十分でない場合等の如く、各ハウスの形態変形する場合である。この各場合は、ハウスにおいて、間々発生するのが状況である。このような状況においても、本発明では、ハウス内の送風機１と、この送風機１（ファン１０２の風）の働きによる循環風として、例えば、ハウスの隅々まで送り、また、棟方向の遠くまで送り、例えば、生育の促進と維持、又は品質・収穫量向上、或いは、薬剤散布後の薬効の効率化等に寄与できる。
【００３７】
次に、設置金具２、及び送風機１の梁Ｈへの取付け、取外しに関して説明する。
【００３８】
図１〜図５に示した第１実施例において、図１〜図３−２では、設置金具２の支持片２０１に吊金具３を添接し、ボルト１１を螺着し、吊金具３を取付ける。この吊金具３の取付孔３０２と、送風機１の上側の二つのＵ環１０３００の孔１０３００ａに止め具１２を差込み、ナット１２ａに螺着して、吊金具３と送風器１を一体とする。これにより、吊下げ設置が図れることと、この一体となった設置金具２と送風機１を支持し、設置金具２の平板部２００を梁Ｈに載架し、梁Ｈの下側からＵボルト６の自由端６ａを、円弧溝５に差入れ、端の螺子部６ｂに、ナット７を螺合する。この操作で梁Ｈに、送風機１が取付けられる。従って、一人で、送風機１等を持って、梁Ｈに取付けできる。次に、図４に示した第１実施例の他の例では、送風機１の下側の二つのＵ環１０３００の孔１０３００ａに止め具１２を差込み、ナット１２ａに螺着して、吊金具３と送風器１を一体とする。これにより、上載せ設置ができる。続いて、図５に示した第１実施例の別の例では、送風機１の（向かって）右側の二つのＵ環１０３００の孔１０３００ａに止め具１２を差込み、ナット１２ａに螺着して、吊金具３と送風器１を一体とする。これにより、右側の縦柱設置ができる。さらに、図示しないが、左側の二つのＵ環１０３００を利用すれば、左側の縦柱設置ができる。また、送風機１の取外しは、前述の逆の操作であり、説明は割愛する。その他の送風機１の取外しは、各ボルト１１を取外し、吊金具３を送風機１のＵ環１０３００に取付けたままでの方法も可能である。
【００３９】
図６〜図８−２に示した第２実施例は、第１実施例と、全ての基本構造は同じであり、その相違点を説明する。平板部２００の短手方向に一組の円弧溝５を設ける構造であり、この平板部２００の円弧溝５の近傍裏面側に、略小判形のバンド６０の鍔片６０ａが添接され、かつ円弧溝５には、鍔片６０ａに開設した螺子部６０ｂが整合する構造となっている。また、バンド６０の下端の凹部は、梁Ｈの下側に添接可能な構造である。この図示では、前述の吊下げ設置が図れる。その他の上載せ設置等は、前述の第１実施例の各構造と、実施例に準ずる。
【００４０】
従って、平板部２００の裏面側に、鍔片６０ａを添接するとともに、円弧溝５と螺子部６０ｂとが整合した際に、円弧溝５から挿入されたボルト２０の螺子部が、螺子部６０ｂに螺合されることで、平板部２００が、梁Ｈに固定される。また、ボルト２０の螺戻で、当該ボルト２０が、円弧溝５に沿って移動する（回転する）。この回転位置で、ボルト２０を螺合すると、平板部２００の回転位置が固定されるとともに、例えば、略１５°程度の範囲内で、回転位置調整ができる。その効果と動きは、前述の実施例に準ずる。また、その他は、前述の実施例に準ずる。
【００４１】
次に、図９〜図１１−２に示した第３実施例は、第１・第２実施例と、全ての基本構造は同じであり、その相違点を説明する。平板部２００の短手方向に一組の円弧溝５を設ける構造であり、この平板部２００の円弧溝５の近傍裏面側に、平板形状のバンド６００の鍔片６００ａが添接され、かつ円弧溝５には、鍔片６００ａに開設した複数の螺子部６００ｂが整合する構造となっている。また、バンド６００の下端の凹部は、梁Ｈの下側に添接可能な構造である。従って、裏面側に、鍔片６００ａを添接するとともに、円弧溝５と螺子部６００ｂとが整合した際に、円弧溝５から挿入された複数のボルト２０の螺子部が、螺子部６００ｂに螺合されることで、平板部２００が、梁Ｈに固定される。また、ボルト２０の螺戻で、当該ボルト２０が、円弧溝５に沿って移動する（回転する）。この回転位置で、ボルト２０を螺合すると、平板部２００の回転位置が固定されるとともに、例えば、略１７．５°程度の範囲で回転位置調整ができる。その効果と動きは、前述の第２実施例に準ずる。また、その他は、前述の第１・第２実施例に準ずる。この図示では、前述の吊下げ設置が図れる。その他の上載せ設置等は、前述の第１実施例に準ずる。尚、鍔片４ｂの関係で、支持片２０１の端２０１ａの下側形状を変更することも有り得る。
【００４２】
各実施例において、例えば、前述の如く、ハウス内の薬液散布、ハウスのビニールフィルムの張替え、或いは夏場のビニールフィルムの取外し等の作業時においては、送風機１を、一度、取外すには、一人で、送風機１を支持し、止め具１２を取外す。梁Ｈに設置金具２を残したままで、送風機１を、簡易、かつワンタッチで行える。この送風機１は、作業者が、一人で支持できる重さと、寸法である。
【００４３】
俯角調整は、前述の説明の如く、梁Ｈに取付けた俯角調整済み設置金具２に、送風機１を取付ける一例と、また、梁Ｈにある設置金具２に送風機１を取付けた状態において、この設置金具２の俯角調整を行って調整する一例等があるが、限定されない。
【００４４】
以上で説明した各実施例は、好ましい一例を示したものであり、同様な効果と特徴を有する他の構造、手段は、本発明の範疇である。
【符号の説明】
【００４５】
１      送風機
１ａ      吹出口
１ｂ      吸込側
１００      ドラム（風胴）
１０１      整流翼
１０２      ファン
１０３      ファンガード
１０４      モータ
１０３００      Ｕ環
１０３００ａ      孔
１１      ボルト
１１００      螺子部
１２      止め具
１２ａ      ナット
２      設置金具
２０      ボルト
２００      平板部
２０１      支持片
２０１ａ      端
２０１００      差込み孔
３      吊金具
３ａ      折曲片部
３ａ１      端
３ｂ      本体部
３００      孔
３０１      取付螺孔
３０２      取付孔
４ａ      ストッパピン
４ｂ      鍔片
５      円弧溝
６      Ｕボルト
６ａ      自由端
６ｂ      螺子部
６０      バンド
６０ａ      鍔片
６０ｂ      螺子部
６００    バンド
６００ａ      鍔片
６００ｂ      螺子部
７      ナット
Ｈ      梁
Ｈ１      軸方向
Ｈ２      縦柱の立設方向
Ｃ      水平軸芯
【図１１−１】
2015045474.tif 000003
【図１１−２】
2015045474.tif 000004
【図１】
2015045474.tif 000005
【図２】
2015045474.tif 000006
【図３−１】
2015045474.tif 000007
【図３−２】
2015045474.tif 000008
【図３−３】
2015045474.tif 000009
【図３−４】
2015045474.tif 000010
【図４】
2015045474.tif 000011
【図５】
2015045474.tif 000012
【図６】
2015045474.tif 000013
【図７】
2015045474.tif 000014
【図８−１】
2015045474.tif 000015
【図８−２】
2015045474.tif 000016
【図９】
2015045474.tif 000017
【図１０】
2015045474.tif 000018